(57)【要約】【課題】個人所有のスマートフォンを構内交換機のＰＨＳ網と接続する。【解決手段】スマートフォンとＢＳとを通信させるアダプタであって、アダプタは、ＣＰＵ及びメモリを有し、ＣＰＵは、アプリのダウンロードを、ＢＳを介して、交換機に要求して、アプリを交換機からダウンロードし、メモリは、ダウンロードしたアプリを格納し、ＣＰＵは、スマートフォンにアプリの有無を問い合わせ、アプリが無の応答に対応して、メモリに格納したアプリをスマートフォンにダウンロードし、スマートフォンからの、アプリの起動後のＰＳ−ＩＤ自動付与設定/ログイン要求に応じて、ＣＰＵは、ＰＳ−ＩＤ自動付与設定/ログイン要求を、ＢＳを介して、交換機に送信し、送信したＰＳ−ＩＤ自動付与設定/ログイン要求に対応して、交換機から送信された内線番号及びＰＳ−ＩＤを受信し、受信した内線番号及びＰＳ−ＩＤをスマートフォンに送信する。【選択図】  図１
2015149527.tif 000002
【特許請求の範囲】
【請求項１】
スマートフォンとＵＳＢ接続し、交換機の無線基地局収容カードに収容されるＰＨＳ無線基地局（以下、ＢＳ）とＰＨＳ接続し、少なくともＣＰＵ及びメモリを有するアダプタであって、
前記ＣＰＵは、前記スマートフォンの専用アプリケーション（以下、アプリ）のダウンロードを、前記ＢＳを介して、前記交換機に要求し、該要求に対応した、前記アプリを前記交換機からダウンロードし、
前記メモリは、ダウンロードした前記アプリを格納し、
前記ＣＰＵは、前記スマートフォンに前記アプリの有無を問い合わせ、該問い合わせに対する前記アプリが無の応答に対応して、前記メモリに格納した前記アプリを前記スマートフォンにダウンロードし、
前記スマートフォンからの、前記スマートフォンの前記アプリの起動後のＰＳ−ＩＤ自動付与設定/ログイン要求に応じて、前記ＣＰＵは、前記ＰＳ−ＩＤ自動付与設定/ログイン要求を、前記ＢＳを介して、前記交換機に送信し、送信した前記ＰＳ−ＩＤ自動付与設定/ログイン要求に対応して、前記交換機から送信された内線番号及びＰＳ−ＩＤを受信し、受信した前記内線番号及び前記ＰＳ−ＩＤを前記スマートフォンに送信することを特徴とするスマートフォン用アダプタ。
【発明の詳細な説明】
【技術分野】
【０００１】
本発明は、スマートフォン用アダプタに係り、特に、個人所有のスマートフォンを、企業内の内線端末として使用するために、構内交換機に接続されたPHS基地局との通信を可能にする、スマートフォン用アダプタに関する。
【背景技術】
【０００２】
近年、個人所有の携帯電話やスマートフォンを企業内内線電話として利用するシステムが知られている（特許文献１）。これは、一般的にＢＹＯＤ（Ｂｒｉｎｇ  Ｙｏｕｒ  Ｏｗｎ  Ｄｅｖｉｃｅ）と呼ばれ、従業員が個人用と会社用の２台の携帯電話を持つことの煩わしさを無くし、会社が端末を準備する必要がないことから、企業内内線電話等のネットワーク構築時の初期費用を抑えることができる。
【０００３】
また、スマートフォンにアダプタを接続し、異なるＩＦ（インターフェイス）を提供する仕組みとして特許文献２が知られている。物理的にスマートフォンに接続され、スマートフォンに搭載されていないＩＦをアダプタが持っており、スマートフォンとアダプタ間はスマートフォンの標準的なＩＦで接続されるものである。
【先行技術文献】
【特許文献】
【０００４】
【特許文献１】特開２００８−１８７２２４号公報
【特許文献２】特表２０１３−５０６４８８号公報
【発明の概要】
【発明が解決しようとする課題】
【０００５】
現在、個人所有のスマートフォンを企業内内線電話として使用する方法としては無線ＬＡＮによる接続が一般的である。この方法の場合、構内交換機の内線電話網としてＩＰ網と無線ＬＡＮアクセスポイント（以降、ＡＰと呼ぶ）が必要となり、ＩＰ網の設計にデータ系と音声系について考慮をする必要がある。
【０００６】
この他にもスマートフォンは様々な無線、有線のＩＦを備えているが、構内交換機とのＩＦとして使用できるものとしては無線ＬＡＮが最も適しており、現在の主流は無線ＬＡＮによる接続である。
【０００７】
構内交換機は、オプションや内蔵と形態は様々であるが、ほとんどの機種において内線電話用のＩＰ網との接続が可能である。但し、ＰＣやインターネット回線等のデータ系の通信網としてＩＰ網を使用している企業は多いものの、音声通信用として、構内交換機にＩＰ網とＡＰを併せ持つことは、データ系の通信網ほどの普及に至っていない。
【０００８】
この背景にはＩＰ網設計における、音声系及びデータ系の優先制御や帯域、遅延計算等のネットワーク構築の難しさ、これに伴う音声品質の低下、ＳＥ費用、また既設資産の流用率等の問題があり、未だに音声系に関しては非ＩＰ系の通信網（以降、非ＩＰ系の通信網をレガシー網と呼ぶ）を使用している企業が多い。
【０００９】
またスマートフォンを無線ＬＡＮで使用する場合の無線環境の課題や、内線通話の頻度が高い使用者の場合のスマートフォンのバッテリーが一日持たない可能性があるという課題がある。
【００１０】
企業内内線電話として、ＢＹＯＤを考慮しなければ、ＰＨＳが無線通話機器として一般的である。既存のレガシー網に接続される無線基地局（以降、交換機内線のレガシー網に接続されるＰＨＳ用無線基地局をＢＳと呼ぶ）を親機として接続し、音声通話を基本とする交換機の様々なサービス機能を利用することができる。但し、ＰＨＳの通信は帯域が64kbpsと固定であり、大容量のデータ通信を行うことは難しく、ＰＨＳ子機も音声通話を基本とする作りになっており、表示部等のユーザインタフェースは旧世代の携帯電話レベルであり、その利便性はスマートフォンには及ばない。
【００１１】
本発明は、前記従来技術の課題に鑑みてなされたものであり、その目的は、スマートフォンを構内交換機のＰＨＳ網と接続するためのアダプタを提供するものである。
【００１２】
以降、スマートフォンに接続され、ＢＳとの通信を可能とするスマートフォン用アダプタを単にアダプタと呼ぶ。
【課題を解決するための手段】
【００１３】
スマートフォンとＢＳとを通信させるアダプタであって、アダプタは、ＣＰＵ及びメモリを有し、ＣＰＵは、アプリのダウンロードを、ＢＳを介して、交換機に要求して、アプリを交換機からダウンロードし、メモリは、ダウンロードしたアプリを格納し、ＣＰＵは、スマートフォンにアプリの有無を問い合わせ、アプリが無の応答に対応して、メモリに格納したアプリをスマートフォンにダウンロードし、スマートフォンからの、アプリの起動後のＰＳ−ＩＤ自動付与設定/ログイン要求に応じて、ＣＰＵは、ＰＳ−ＩＤ自動付与設定/ログイン要求を、ＢＳを介して、交換機に送信し、送信したＰＳ−ＩＤ自動付与設定/ログイン要求に対応して、交換機から送信された内線番号及びＰＳ−ＩＤを受信し、受信した内線番号及びＰＳ−ＩＤをスマートフォンに送信する。
【発明の効果】
【００１４】
本発明によれば、スマートフォンを構内交換機の内線端末として使用できる。
【図面の簡単な説明】
【００１５】
【図１】本装置を収容した構内交換機の構成図の例である。
【図２】本アダプタの外観の概要図である。
【図３】ＰＨＳ子機と比較した場合の通信遅延量の概算である。
【図４】交換機からアダプタへのアプリのダウンロードの動作シーケンスである。
【図５】スマートフォンへのアプリをダウンロード方法、または２回目以降のアダプタ接続時の動作シーケンスである。
【図６】交換機局データ設定例である。
【図７】ＰＳ−ＩＤ自動付与設定時のログイン成功シーケンスである。
【図８】ＰＳ−ＩＤ自動付与設定時の未使用ＰＳ−ＩＤが無い場合のログイン失敗シーケンスである。
【図９】ＰＳ−ＩＤ自動付与設定時の局データアンマッチによるログイン失敗シーケンスである。
【図１０】ＰＳ−ＩＤ自動付与設定時のＰＨＳ電波圏外時のログイン失敗シーケンスである。
【図１１】ＰＳ−ＩＤ手動付与設定時のログインシーケンスである。
【図１２】アダプタアプリ起動（初期）画面例である。
【図１３】ＰＳ−ＩＤ設定画面例である。
【図１４】ログイン成功、又は失敗画面例である。
【図１５】スマートフォンに出力される画面の遷移図である。
【図１６】初期設定時にログイン継続可能の場合の動作シーケンスである。
【図１７】初期設定時にログイン継続不可の場合の動作シーケンスである。
【図１８】制限設定通知画面例、及び制限設定不可画面例である。
【図１９】ログアウトの動作シーケンスである。
【図２０】本装置を収容した病院施設での構内交換機の構成図の例である。
【図２１】アダプタ関連アプリをダウンロードする場合の動作シーケンスである。
【図２２】実施例２において、アダプタ付スマートフォンからアダプタ付スマートフォンへ発信した場合の動作シーケンスである。
【図２３】実施例２において、ナースコール子機からアダプタ付スマートフォンへ発信した場合の動作シーケンスである。
【図２４】アダプタ関連アプリと連携した着信画面例である。
【図２５】アダプタの充電例、及びアダプタ交換例である。
【発明を実施するための形態】
【００１６】
以下、実施例を図面を用いて説明する。
【実施例１】
【００１７】
図１は、本実施例のスマートフォンにアダプタを装着した内線端末１１０を収容した構内交換機１０１の構成図の例である。
【００１８】
構内交換機１０１は、主装置（ＣＣ）１０６、内線電話機収容カード１０２、無線基地局収容カード１０３、局線カード１０４、および専用線カード１０５を含む。局線カード１０４には公衆網１１１が接続され、専用線カード１０５には専用線網１１２が接続される。内線端末１１０のＰＨＳ用無線基地局であるＢＳ１０８は、無線基地局収容カード１０３に収容される。無線基地局収容カード１０３はＢＳ１０８を収容するカードであり、ＰＨＳ子機１０９による通話の際に使用される。
【００１９】
スマートフォンは、一般的にＰＨＳ無線通信のＩＦを持っていないため、ＢＳ１０８との通信はできない。そのため、アダプタをスマートフォンと接続し、アダプタを介してＢＳ１０８との通信を可能とし、交換機１０１に内線端末として収容する。
【００２０】
図２は、アダプタ１２０の外観の概要図である。アダプタ１２０は、スマートフォン１２４に接続するＵＳＢ端子１２２、ＢＳ１０８と通信するためのＰＨＳ用アンテナ１２１、及び、充電器からの入力端子（アダプタ充電端子）１２３を持ち、カバータイプでは、物理的にスマートフォン１２４と接続される構造であり、セパレートタイプでは、ＵＳＢケーブル１３１で接続される構造である。また、スマートフォン１２４は、一般的にＵＳＢ端子１２５や、それと同等なＩＦ（ライトニングコネクタ等）を持っている。
【００２１】
また、アダプタ１２０は、種々の処理を実行するＣＰＵ、メモリ等の周辺回路、電源用のバッテリーとその充電回路と充電用のコネクタ、前述のＵＳＢ−ＩＦ、ＰＨＳアンテナ―ＩＦ、音声のＰＣＭ−ＡＤＰＣＭ変換を行うハード回路（専用ＩＣ、若しくはＦＰＧＡ等）等を具備する。ＣＰＵは、以下に説明するスマートフォン１２４との入出力処理、ＢＳ１０８との送受信処理などを実行する。メモリは、ＣＰＵによる種々の処理の実行に伴う、ダウンロードデータなどの各種データを格納する。なお、データとして、たとえばスマートフォン１２４が実行するアプリをメモリに格納した状態を、アプリを搭載していると呼ぶ。
【００２２】
図３を用いて、従来のＰＨＳ子機１０９の場合と、スマートフォン１２４にアダプタ１２０を装着した場合との通信遅延量を比較する。通信遅延量は、音声通信の場合、そのまま音声品質に繋がるため、音声通信が基本機能である構内交換機１０１の内線端末１１０としてスマートフォン１２４を使用する場合に重要な評価項目である。
【００２３】
ＰＨＳ子機１０９を用いる場合とスマートフォン１２４を用いる場合との差異は、各々からＢＳ１０８までの通信経路であり、ＢＳ１０８から通話先（内線電話機１０７や外線端末１４０）までの経路は同様であり、差異はない。
【００２４】
ＰＨＳ子機１０９の場合、主な遅延はＰＣＭ−ＡＤＰＣＭ変換であるが、現在は専用ＩＣやＦＰＧＡの専用ＩＰ−ＣＯＲＥ等が用いられ、ほぼ純ハード処理で行うのが一般的であり、その遅延量は数百μsec程度である。
【００２５】
スマートフォン１２４にアダプタ１２０を装着した場合の主な遅延は、ＵＳＢ転送による遅延が１msec程度、ＰＣＭ−ＡＤＰＣＭ変換が数百μsec、アダプタ１２０での処理時間（プロトコル変換）が数msec程度である。
【００２６】
この他にも、マイクやスピーカ等のアナログ信号を変換するＡ―Ｄ変換、ＰＨＳ無線部の処理時間等が通信遅延量となるが、ＰＨＳ子機１０９を用いる場合とスマートフォン１２４を用いる場合とで同様であり、通信遅延量に差異をもたらす要因ではない。
【００２７】
したがって、ＰＨＳ子機１０９を用いる場合とスマートフォン１２４にアダプタ１２０を装着した内線端末１１０を用いる場合との通信遅延量を比較すると、内線端末１１０を用いる場合の方が、通信遅延量が数msec大きくなる。
【００２８】
通常、スマートフォン１２４を、無線ＬＡＮを用いて内線端末として使用した場合の遅延は、ＲＴＰ化の処理、ネットワークの遅延等で通信遅延量は数十〜数百msec程度ある。この値と比べた場合、１／１００程度のオーダーであり、一般的な音声のレガシー品質（高品質）、ＩＰ品質（低品質）と言われる場合、十分にレガシー品質に分類される値である（参考文献：ＮＴＴ  音声品質評価法http://www.ntt.co.jp/qos/technology/sound/05_3.html）。
【００２９】
アダプタ１２０の動作について、図４以下を用いて説明する。アダプタ１２０をスマートフォン１２４に接続して使用する際にはスマートフォン１２４に専用のアプリ（アプリケーションソフトウェア）が必要となる（以降、単にアプリと呼ぶ場合は、アダプタ１２０用の専用アプリを指す）。アプリのダウンロード方法は、スマートフォン１２４の所有者が各個人でapp store等のダウンロードサイト１５０からダウンロードする方法と、アダプタ１２０へのスマートフォン１２４の接続時に自動で（所有者の人手を用いずに）ダウンロードする方法の２通りがある。
【００３０】
自動ダウンロードに備えて必要となる、アダプタ１２０へのアプリのダウンロード方法について図４を用いて説明する。アダプタ１２０へダウンロードするアプリは、交換機１０１（以降、単に交換機と呼ぶときは、交換機１０１に搭載されるＢＳ１０８、主装置（ＣＣ）１０６を含めた交換機本体を意味する。）に搭載されている（１００１）。スマートフォン１２４とアダプタ１２０を接続する前に、交換機１０１とアダプタ１２０が通信できる状態（ＰＨＳ接続）にする（１００２）。
【００３１】
交換機１０１にアダプタ１２０の接続が確認された時点で、アダプタ１２０はアプリのダウンロード要求を交換機１０１に通知する（２０００）。通知を受けた交換機１０１はアプリをアダプタ１２０にダウンロードする（２００１）。以上の手順でアダプタ１２０にアプリが搭載される（１００３）。
【００３２】
アプリのＶｅｒＵＰ（バージョンアップ）方法について、図４を用いて説明する。ＶｅｒＵＰのタイミングは２つあり、いずれも、まず交換機１０１に搭載されているアプリをＶｅｒＵＰする必要がある。
【００３３】
１つ目のタイミングは、交換機１０１のアプリがＶｅｒＵＰされたタイミングである。アダプタ１２０にＶｅｒＵＰ前のアプリが搭載されており（１００４）、交換機１０１にもＶｅｒＵＰ前のアプリが搭載されており（１００５）、この状態でアダプタ１２０と交換機１０１が接続（ＰＨＳ接続）されている（１００２）ものとする。この状態で交換機１０１に搭載されているアプリがＶｅｒＵＰ（１００６）されると、交換機１０１は接続されている全てのアダプタ１２０を検索し（１００７）、接続されている全てのアダプタ１２０に対して、アプリのＶｅｒ通知要求を送信する（２００２）。Ｖｅｒ通知要求を受信したアダプタ１２０は交換機１０１にアプリのＶｅｒ通知を送信する（２００３）。交換機１０１は自身に搭載されているＶｅｒＵＰされたアプリとのＶｅｒを比較し（１００８）、アダプタ１２０搭載のアプリのＶｅｒが古い場合は、交換機１０１からアダプタ１２０へアプリをダウンロードする（２００１）。以上により、アダプタ１２０のアプリがＶｅｒＵＰされる（１００９）。
【００３４】
２つ目のタイミングは、１つ目のタイミング時にはアダプタ１２０が圏外であったり、電源がＯＦＦになっていた場合であり、アダプタ１２０が交換機１０１に接続されたタイミング（１００２）で、アダプタ１２０から交換機１０１に対してアプリのＶｅｒ通知を送信する（２００３）。Ｖｅｒ通知（２００３）を受信した交換機１０１は自身に搭載されているＶｅｒＵＰされたアプリとのＶｅｒを比較し（１００８）、アダプタ１２０に搭載のアプリのＶｅｒが古い場合は、交換機１０１からアダプタ１２０へアプリをダウンロードする（２００１）。以上によりアダプタ１２０のアプリがＶｅｒＵＰされる（１００９）。
【００３５】
いずれのタイミングであっても、Ｖｅｒが一致、またはアダプタ１２０のアプリの方が新しいＶｅｒの場合は、交換機１０１はアダプタ１２０に搭載のアプリのＶｅｒが最新であることをアダプタ１２０に通知し、新しいＶｅｒのアプリをダウンロードしない。
【００３６】
以上により、アダプタ１２０が動作し、ＢＳ１０８と通信可能の状態にあれば、アダプタ１２０には常に最新のアプリが搭載されている状態となる。
【００３７】
スマートフォン１２４へのアプリのダウンロード方法について、自動、手動、また二回目以降のアダプタ１２０とスマートフォン１２４の接続時の動作について図５を用いて説明する。
【００３８】
スマートフォン１２４へアプリを自動でダウンロードする場合は、スマートフォン１２４がアダプタ１２０と初めて接続（ＵＳＢ接続）されると（１０１０）、アダプタ１２０からスマートフォン１２４へアプリ問い合わせを行う（２０１０）。スマートフォン１２４はアプリが無いことをアダプタ１２０に通知する（２０１１）。アダプタ１２０はアプリをスマートフォン１２４へダウンロードし（２０１２）、ダウンロードが完了したら（１０１１）、スマートフォン１２４はアプリを起動し（１０１２）、アダプタ１２０へアプリの起動完了を通知する（２０１３）。
【００３９】
スマートフォン１２４へアプリを、スマートフォン１２４の利用者が手動でダウンロードする場合は、スマートフォン１２４へアダプタ１２０を接続する前に、各利用者がダウンロードサイト１５０からアプリをダウンロードする。スマートフォン１２４のキャリア通信等でダウンロードサイト１５０に接続し（１０１４）、アプリの検索、ダウンロード要求を送信し（２０１４）、アプリをダウンロードする（２０１５、１０１１）。
【００４０】
二回目以降のアダプタ１２０とスマートフォン１２４の接続時は、アダプタ１２０からアプリ問い合わせ（２０１０）を受けたスマートフォン１２４は、アプリを起動し（１０１２）、アプリのＶｅｒをアダプタ１２０に通知する（２０１６）。アダプタ１２０は、スマートフォン１２４のアプリのＶｅｒがアダプタ１２０のアプリのＶｅｒより古い場合には、アプリをスマートフォン１２４へダウンロードし、それ以外の場合は、Ｖｅｒが最新であることを通知する（２０１７）。
【００４１】
スマートフォン１２４は、アプリが最新である場合でも、アプリが古く、アダプタ１２０からダウンロードした場合でも、アプリを起動し（１７０）、アダプタ１２０へアプリの起動完了を通知する（２０１３）。以上がスマートフォン１２４へのアプリのダウンロード方法である。
【００４２】
アダプタ１２０を装着したスマートフォン１２４を、交換機１０１の内線端末１１０として登録する（以降、アダプタ１２０を装着したスマートフォン１２４が交換機１０１の内線端末１１０として利用できるように、交換機１０１に登録することをログインと呼ぶ）方法について説明する。
【００４３】
ＰＨＳ子機１０９を交換機１０１の内線端末として登録するには、交換機１０１に、内線番号とＰＳ−ＩＤと呼ばれるユニークな番号を登録する。内線番号は、交換機１０１の番号計画により任意に設定されるが、ＰＳ−ＩＤはＰＨＳ子機１０９毎に割り振られる番号である。
【００４４】
ＰＳ−ＩＤの番号を付けた（ファクトリ・セットした）アダプタ１２０であってもよいが、ＰＳ−ＩＤは交換機１０１やスマートフォン１２４に登録するものであり、アダプタ１２０にはＰＳ−ＩＤの登録を必要としない。アダプタ１２０にＰＳ−ＩＤの登録を不要にすることで、スマートフォン１２４とアダプタ１２０の対応付けを不要とし、どのスマートフォン１２４を、どのアダプタ１２０に装着しても利用できるので、アダプタ１２０の利用者の利便性が向上する。
【００４５】
交換機１０１に登録するデータ設定の例を、図６を用いて説明する。データ設定は、ＰＨＳ子機１０９の登録と同様に、内線番号とＰＳ−ＩＤ、更には端末種別、グループ番号等を登録する（コマンド例「ＰＳＩＤ」１６０）。
【００４６】
アダプタ１２０の利用者の利便性を向上させるため、ＰＳ−ＩＤをスマートフォン１２４に自動付与させてもよい。逆に、アダプタ１２０の利用者を特定してセキュリティを高めるため、スマートフォン１２４毎にＰＳ−ＩＤを手動設定し、ＰＳ−ＩＤが設定されていないスマートフォン１２４を利用できなくしてもよい。以上のＰＳ−ＩＤの付与方法を選択できるようにするために、交換機１０１でのデータ設定としてＰＳ−ＩＤを自動付与するか否かも設定する（コマンド例「ＰＳＩＤＡ」１６１）。
【００４７】
ログインまでの手順について、図７〜図１４を用いて説明する。ＰＳ−ＩＤ自動付与設定の場合について、図７を用いて説明する。交換機１０１の局データで「ＰＳＩＤ」１６０や「ＰＳＩＤＡ」１６１等を設定し、ＰＳ−ＩＤ自動付与有りを設定する（１０２０）。前述のように、スマートフォン１２４にアダプタ１２０が接続された時点でアプリが起動されており（１０１２、２０１３）、図１２のような初期画面１７０が表示されている。利用者はまず、ＰＳ−ＩＤ設定ボタン１７２をタップする。ＰＳ−ＩＤ設定ボタン１７２のタップに応答して、図１３のようなＰＳ−ＩＤ設定画面１８０に遷移する。この画面で「ＰＳ−ＩＤ自動付与」１８１を「自動」に設定し（１０２１）、「ＯＫ」ボタン１８３をタップすると、ＰＳ−ＩＤが自動付与設定になり、初期画面１７０に戻る。初期画面１７０でログインボタン１７１をタップすると、ログイン動作が開始する。スマートフォン１２４からアダプタ１２０を経由して交換機１０１へＰＳ−ＩＤ自動付与によるログイン要求が送信される（２０２０、２０２１）。交換機１０１は局データから、ＰＳ−ＩＤが自動付与設定になっているか、なっている場合は未使用のＰＳ−ＩＤがあるかを検索し（１０２２）、未使用のＰＳ−ＩＤがある場合は内線番号とＰＳ−ＩＤを通知する。内線番号とＰＳ−ＩＤはアダプタ１２０経由でスマートフォン１２４に通知され（２０２２、２０２３）、スマートフォン１２４は内線番号とＰＳ−ＩＤを登録し（１０２３）、図１４のログイン成功画面例１９０を表示する（１０２４）。
【００４８】
ログインに失敗する例を図８〜図１０で示す。図８は、ログイン要求が交換機１０１に送信された際に、交換機１０１の局データで未使用のＰＳ−ＩＤが無い場合であり（１０３０）、この場合、交換機１０１は端末登録不可返信をアダプタ１２０を介してスマートフォン１２４へ通知する（２０３０、２０３１）。
【００４９】
図９は、ログイン要求が交換機１０１に送信された際に、交換機１０１の局データがＰＳ−ＩＤ自動付与の設定になっていない場合を示し（１０４１）、この場合、交換機１０１は端末登録不可返信を、アダプタ１２０を介してスマートフォン１２４へ通知する（２０３０、２０３１）。
【００５０】
図１０は、アダプタ１２０―ＢＳ１０８間の電波状況が悪く、圏外になっている場合であり、この場合はアダプタ１２０が端末登録不可返信（２０３１）をスマートフォン１２４へ通知するが、アダプタ１２０―ＢＳ１０８間の電波状況は常にアダプタ１２０からスマートフォン１２４へ通知しているので、この場合はスマートフォン１２４には「圏外」の表示がされていることになる。
【００５１】
ログインが失敗した場合には、いずれの場合でも図１４のログイン失敗画面１９２を表示し（１０３１）、アプリ起動画面１７０に戻る。画面の遷移に関しては図１５に示す。
【００５２】
ＰＳ−ＩＤ手動付与設定の場合について図１１を用いて説明する。まず交換機１０１の局データで「ＰＳＩＤ」１６０や「ＰＳＩＤＡ」１６１等を設定し、ＰＳ−ＩＤ自動付与無しを設定する（１０４０）。前述のように、スマートフォン１２４にアダプタ１２０が接続された時点でアプリが起動されており（１０１２、２０１３）、図１２のような初期画面１７０が表示されている。利用者が、ＰＳ−ＩＤ設定ボタン１７２をタップすると、図１３のようなＰＳ−ＩＤ設定画面１８０に遷移する。この画面で「ＰＳ−ＩＤ自動付与」１８１を「手動」に設定し、ＰＳ−ＩＤ番号を入力する１８２（１０２１）、「ＯＫ」ボタン１８３をタップすることで、ＰＳ−ＩＤが手動付与設定になり、初期画面１７０に戻る。初期画面１７０でログインボタン１７１をタップすることで、ログイン動作が開始する。スマートフォン１２４からアダプタ１２０を経由して交換機１０１へＰＳ−ＩＤ通知を伴うログイン要求が送信される（２０５０、２０５１）。交換機１０１は局データから、ＰＳ−ＩＤが手動付与設定になっているか、なっている場合は登録されているＰＳ−ＩＤがあるか、そのＰＳ−ＩＤが未使用であるかを検索する（１０５０）。検索により通知されたＰＳ−ＩＤが使用可能であれば、そのＰＳ−ＩＤに対応付けられた内線番号を通知する。内線番号はアダプタ１２０経由でスマートフォン１２４に通知され（２０５２、２０５３）、スマートフォン１２４は内線番号を登録し、図１４のログイン成功画面例１９０を表示し（１０５１）、ログイン完了となる（１０２４）。
【００５３】
ＰＳ−ＩＤ手動設定の場合のログイン失敗例は通知されたＰＳ−ＩＤが登録されていない、登録されていても既に使用されている、ＰＳ−ＩＤ自動付与設定になっている、アダプタ１２０―ＢＳ１０８間の電波状況が悪く、圏外になっている場合がある。動作シーケンスはＰＳ−ＩＤ自動付与設定時の動作に準ずるため、説明を省略する。いずれの場合も図１４のログイン失敗画面１９２を表示し、アプリ起動画面１７０に戻る。以上が、ログインに関する動作である。
【００５４】
スマートフォン１２４の初期設定について図６の交換機１０１局データ設定例、図１５遷移図、及び図１６〜図１８を用いて説明する。
【００５５】
アダプタ１２０は、個人所有のスマートフォン１２４を企業内の構内交換機１０１の内線端末として登録する、いわゆるＢＹＯＤを実現するものであり、セキュリティ対策も考慮が必要となる。そこで、使用者の利便性を高めるか、企業内セキュリティを高めるかを交換機１０１の局データで設定を行えるようにし、その設定内容をアダプタ１２０付スマートフォン１２４のログイン時に通知し、スマートフォン１２４に初期設定を行う。
【００５６】
図６に交換機１０１局データの設定例を示す。本例ではスマートフォン１２４の機能のうち、キャリア電波、キャリア電波以外の無線ＩＦ、並びに、アプリ及び後述されるアダプタ１２０関連アプリ以外のアプリの３項目について制限をかけるか、かけないかを設定するものとし、また、その設定がスマートフォン１２４に対して設定できなかった場合の、ログイン継続可否についても設定を行えるものとする（コマンド例「ＡＤＰＩＮＩ」１６３）。
【００５７】
本設定はアダプタ１２０使用者の職制や役割等、使用者毎に制限をかける範囲が異なることが想定されるため、端末毎、グループ毎、全端末適用かを選択できるようにし、データ設定の細分化と効率化を図るようにする（コマンド例「ＡＤＰＩＮＩ」１６３のパラメータ１）。
【００５８】
初期設定の手順について、初期設定手順後、ログイン継続可能の場合について図１６、ログイン継続不可となり、ログアウトする場合について図１７を用いて説明する。まず交換機１０１の局データで「ＡＤＰＩＮＩ」１６３等の設定行い、スマートフォン１２４に対する初期設定の登録を行う（１０６０）。交換機１０１へログイン完了（１０２４）後、交換機１０１はログインした端末の初期設定内容を検索し、制限があるか無いか等を検索し（１０６１）、制限ある場合はその制限内容等をアダプタ１２０を介してスマートフォン１２４へ初期設定として通知する（２０６０、２０６１）。
【００５９】
スマートフォン１２４は、受け取った初期設定より、制限がある場合はそれら設定を行い（１０６２）、制限項目に対し、設定完了した項目、設定不可だった項目等の設定の結果をアダプタ１２０を介して交換機１０１へ通知する（２０６２、２０６３）。
【００６０】
交換機１０１はスマートフォン１２４が行った設定結果と局データの設定内容を参照し、ログイン継続可能かどうかを判断し、継続可能の場合（１０６３）（図１６）は、端末の設定結果をロギングし、ログイン継続をアダプタ１２０を介し、スマートフォン１２４へ通知する（２０６４、２０６５）。ログイン継続通知を受けたスマートフォン１２４は、図１８の制限設定通知画面２００のような画面を表示し（１０６４）、待受け画面２１０へ遷移し（１０６５）、内線端末として使用可能の状態になる（１０６６）。
【００６１】
ログイン継続不可の場合（１０７０）（図１７）は、ログアウト通知をアダプタ１２０を介し、スマートフォン１２４へ通知する（２０７０、２０７１）。ログアウト通知を受けたスマートフォン１２４は初期設定通知で行った設定のリセットや、登録した内線番号の削除、ＰＳ−ＩＤ自動付与設定の場合は、付与されたＰＳ−ＩＤの削除等のログアウト処理を行い（１０７１）、図１８の制限設定不可画面２０２のような画面を表示し、ログアウト通知を、アダプタ１２０を介して交換機１０１へ通知し（２０７２、２０７３）、初期画面１７０へ戻る。ログアウト通知を受けた交換機１０１は払出したＰＳ−ＩＤの登録を削除し（１０７２）、スマートフォン１２４のログアウト処理は完了となる（１０７３）。以上が初期設定の手順である。
【００６２】
ここまでの手順により、待受け画面の状態になったアダプタ１２０付スマートフォン１２４は、交換機１０１の内線端末として利用が可能となり、従来のＰＨＳ子機１０９と同様の機能、サービスを使用することが可能である。
【００６３】
従来のＰＨＳ子機１０９と同様の機能である、発着信、通話、保留、転送等、呼制御、通話関連の動作、また、圏外、ハンドオーバ、ローミング、ボタン着信、文字列表示、位置情報等のサービスの動作は、スマートフォン１２４とアダプタ１２０間がＵＳＢ接続で通信し、アダプタ１２０がプロトコル変換を行っていること以外で動作に差は無いので、説明を省略する。
【００６４】
これら従来のＰＨＳ子機１０９で利用していた機能、サービスではなく、端末がスマートフォン１２４になったことにより、従来のＰＨＳ子機１０９では実現が難しかったサービスを提供可能であり、その内容は実施例２に記載する。
【００６５】
スマートフォン１２４のＢＹＯＤを終了し、アダプタ１２０を外して、プライベートのスマートフォン１２４に戻す手順について、図１９を用いて説明する。
【００６６】
ログアウトの方法は２通りあり、アプリの画面よりアプリ終了ボタンをタップするか、アダプタ１２０を外すかである（１０８０）。何れの場合もスマートフォン１２４はアプリを終了し、初期設定値のリセット、内線番号の削除、ＰＳ−ＩＤ自動付与設定の場合はＰＳ−ＩＤの削除等のログアウト処理を行う（１０８２）。
【００６７】
アダプタ１２０は、スマートフォン１２４からのログアウト通知（２０７２）が来るか、ＵＳＢ接続断（１０８１）を検出した場合（１０８３）に交換機１０１へログアウトを通知する（２０７３）。この際、電波が圏外等でＢＳ１０８との通信ができない状態の場合は、通信可能になるまでアダプタ１２０側でリトライ処理を行う。
【００６８】
ログアウト通知を受けた交換機１０１は払出したＰＳ−ＩＤの登録を削除し（１０７２）、スマートフォン１２４のログアウト処理は完了となる（１０７３）。
【００６９】
以上がログアウトの手順である。
【００７０】
本実施例によればスマートフォンを構内交換機の内線端末として使用する（ＢＹＯＤ）際に、本アダプタを使用することにより、構内交換機は既設のレガシー網であるＰＨＳ網を活用でき、音声品質はレガシー網と同等の品質を実現できる。また、構内交換機とのＩＦはＢＳとなるため、既存のＰＨＳと同等の交換機のサービス機能の利用を実現できる。
【実施例２】
【００７１】
本実施例では、従来のＰＨＳ子機１０９が使用できる機能、サービスだけでなく、端末がスマートフォン１２４であることにより、より利便性の高いサービスの提供も行えることを、病院に設置された交換機システムを例に取り上げ説明する。
【００７２】
図２０は、実施例２における病院施設の交換機システムの構成図の例である。図２０のうち、既に説明した図１に示された同一の符号を付された構成と、同一の機能を有する部分については、説明を省略する。
【００７３】
スマートフォン１２４付アダプタ１２０の利用者として、看護師（２２０）、医師（２２１）、患者（２２２）の利用形態を考慮し、その他のシステムとして、病室（２２５）やトイレ（２２６）、患者所有（２２８）等のナースコールボタン、ナースコール子機を収容するナースコール装置２２４、そのナースコール装置２２４を収容するナースコール収容カード２２３、また、医師等が使用する診察室等のＰＣ２３０等、及び、それらＰＣ２３０等と連携される電子カルテシステム用の電子カルテサーバ２３１、これらデータ系ＩＰ網と接続される交換機１０１のＬＡＮ−ＩＦ２２９がある。
【００７４】
まず、スマートフォン１２４に、本システムを利用するためのアプリ（以降、アダプタ１２０関連アプリと呼ぶ）およびアダプタ１２０関連アプリの実行のために使用されるデータをダウンロードする必要がある。
【００７５】
アダプタ１２０関連アプリの利用例として、病院の地図情報等をアプリ側で準備しておき、簡単な座標等の位置情報が入力されることにより、病院の地図を表示し、その座標がどこなのかを示し、グラフィカルに位置情報を表示する機能や、病院の電子カルテの情報フォーマット、患者データをアプリ側で準備しておき、患者を特定する情報の入力に応答して、その患者に関連する電子カルテデータを表示する等がある。
【００７６】
図２１に、アダプタ１２０関連アプリをスマートフォン１２４の所有者が各個人でapp store等のダウンロードサイト１５０から手動で入手する方法を示す。スマートフォン１２４からキャリア接続等（１０１４）でダウンロードサイトに接続し、アダプタ１２０関連アプリの検索、ＶｅｒＵＰ情報の検索等を行い（２０８０）、スマートフォン１２４へダウンロードする（２０８１、１０８１）。
【００７７】
その他にも、病院にサーバ等があり、ＩＰ網、ＡＰ等の整備がある場合は、病院内サーバから無線ＬＡＮ、その他のスマートフォン１２４が具備している一般的なＩＦでダウンロードすることも可能である。
【００７８】
また、アダプタ１２０専用アプリと同様に、交換機１０１を経由しアダプタ１２０からダウンロードする方法も考えられるが、アダプタ１２０関連アプリは業務により様々な種類があり、アプリ容量が大きい場合、ＰＨＳの通信速度ではダウンロードに非常に時間がかかる場合が発生し、実運用にそぐわない可能性がある。
【００７９】
図２１に、アダプタ１２０関連アプリに必要なデータをダウンロードする方法を示す。アダプタ１２０関連アプリを起動し（１０８２）、キャリア接続等（１０１４）で必要なサイト等に接続し（２０８２）、アダプタ１２０関連アプリに必要なデータをダウンロードする（２０８３、１０８４）。
【００８０】
本例ではアダプタ１２０関連アプリに必要なデータが病院内サーバにあり、本サーバがインターネット等に接続されている場合や、クラウド等、スマートフォン１２４のキャリア接続でダウンロードできる箇所にアダプタ１２０関連アプリに必要なデータがある場合を示している。しかしながら、こういったデータを、通常、企業外のオープンなネットワークにさらすことはしないため、実際は暗号化、パスワード等によるセキュリティ対策（１０８３）、または上述のような、病院内ＬＡＮ環境によるダウンロードが一般的である。
【００８１】
以上のように、アダプタ１２０関連アプリ、及びアダプタ１２０関連アプリに必要なデータに関しては、特に各業種によって特別に作成されるものであり、その内容やデータ量、機密性等も異なるため、図２１に示したダウンロード方法は一例に過ぎない。
【００８２】
実際の運用例について、図２２〜２４を用いて説明する。図２２はアダプタ１２０付スマートフォン１２４を使用している医師（２２１）、患者（２２２）等がアダプタ１２０付スマートフォン１２４を使用している看護師（２２０）に発信した場合の例である。
【００８３】
医師（２２１）、患者（２２２）等によりスマートフォン１２４から発信操作を行った場合、アダプタ１２０を経由して、交換機１０１に発信情報が通知される（２０９０、２０９１）。交換機１０１はどの内線端末か、及びどのＢＳ１０８からの発信か分かるので（１０９０）、発信者の内線番号と置局されているＢＳ１０８の座標等の位置情報を付加して、着信先へ通知する（２０９２、２０９３）。これらの情報量は従来のＰＨＳ子機１０９に送信している文字列等の情報量と同等程度であり、ＰＨＳ通信速度でも着信の遅延時間等については実運用上問題無いことが知られている。
【００８４】
発信者情報が付加された着信通知はアダプタ１２０を経由して、看護師（２２０）のスマートフォン１２４に着信する。発信者情報を受け取ったスマートフォン１２４はアダプタ１２０関連アプリに発信者情報を入力し、発信者の位置情報を地図画面上に示したり（２５２）、発信者の電子カルテ情報を画面に表示したり（２５１）することができる（画面例は図２４）。
【００８５】
図２３は、ナースコール子機（２２５、２２６、２２８）からの呼び出しに対して、アダプタ１２０付スマートフォン１２４に着信が入る場合の例である。
【００８６】
主に患者からの、ナースコール子機（２２５、２２６、２２８）による発信があり、ナースコール装置２２４に通知される（２０９４）。ナースコール子機（２２５、２２６、２２８）には様々な形態があるが、大きく病室やトイレ、浴室等に設置されている固定型のもの（２２５、２２６）、患者が持ち歩く携帯型のもの（２２８）がある。いずれの場合も、ナースコール子機が設置されている位置、またはナースコール子機を捕捉している無線親機２２７等の情報はナースコール装置２２４が管理することが可能であり、発信者の位置情報を得ることができる（１１００）。
【００８７】
ナースコール装置２２４は、発信者のナースコール子機を特定する番号（例えば内線番号等）、及び、発信者の位置情報を交換機１０１に通知する（２０９５）。交換機１０１は受け取った発信者情報を付加して、アダプタ１２０を経由して看護師（２２０）のスマートフォン１２４に着信をかける（２０９２、２０９３）。以降の動作は、図２２のアダプタ１２０付スマートフォン１２４同士のシーケンスと同様である。
【００８８】
本例ではナースコール子機（２２５、２２６、２２８）と発信者情報の関連付けをナースコール装置２２４で行っているが、ナースコール子機（２２５、２２６、２２８）の特定情報の内線番号への変換等は交換機１０１で処理を行ってもよい。
【００８９】
以上により、着信を受けた看護師は、発信者がどういった相手で、その相手がどこから発信しているのかといった情報を、グラフィカルに得ることができるため、従来のＰＨＳ子機１０９のように、数行の文字列でしか発信者情報が表示されない場合と比べて、利便性が向上される。
【００９０】
アダプタ１２０の充電方式と、アダプタ１２０にＰＳ−ＩＤ等の固有情報を持たせない利便性について図２５を用いて説明する。アダプタ１２０はバッテリーを搭載しており、充電器２６０からの入力端子を有する。充電器２６０はＡＣ１００Ｖ２６１で接続される。この充電器２６０にアダプタ１２０を搭載してアダプタ１２０の充電を行う。
【００９１】
また、前述の通り、アダプタ１２０とスマートフォン１２４間はＵＳＢで接続されるため、アダプタ１２０からスマートフォン１２４への給電も可能であり、本機能によりスマートフォン１２４の電池切れを防ぐことが可能である。
【００９２】
一方、アダプタ１２０の電池切れについては、図２５のように、余分なアダプタ１２０が必要にはなるが、予備のアダプタ１２０を用意しておくことにより、アダプタ１２０の充電量が空になった場合には、充電済みの予備のアダプタ１２０と交換するだけで、継続利用が可能となる。
【００９３】
以上により、端末の電池切れ問題については、元々スマートフォン１２４のＢＹＯＤ使用時より、従来のＰＨＳ子機１０９に優位性があったが、その優位性を生かしつつ、更なる端末の酷使による電池切れについても、対策を行うことが可能となる。
【００９４】
上述した実施例によればスマートフォンに専用アプリを搭載することにより、ＰＨＳより利便性の高いユーザインタフェースのサービスの提供を実現できる。また、スマートフォンとアダプタ間のＩＦはＵＳＢによる有線接続とし、アダプタ側にバッテリーを搭載することにより、スマートフォンの電池切れの回避を実現できる。
【００９５】
以上説明した実施形態によれば、アダプタは次のような構成及び効果を有する。アダプタにはスマートフォンと接続するための電気的なＩＦとしてＵＳＢ−ＩＦを備え、また、スマートフォンと物理的に結合するための機械的な機構を有する。アダプタは交換機に接続されるＢＳとの間でＰＨＳ電波による無線通信機能を有し、アダプタと交換機間の上位レイヤの通信を可能とする。
アダプタはスマートフォンと接続するためのＵＳＢによる通信機能を有し、アダプタとスマートフォン間の上位レイヤの通信を可能とする。また、両者通信間のプロトコル変換機能を有し、最終的にスマートフォンと交換機間での上位レイヤでの通信を可能とする。
【００９６】
アダプタは、アダプタをスマートフォンで使用するためのアプリを交換機からダウンロードする機能を有し、ＵＳＢでスマートフォンに接続された際に、スマートフォンにアプリがあるか、Ｖｅｒが最新か等をチェックし、自動で最新のアプリをアダプタからスマートフォンへダウンロードする機能を有する。
【００９７】
アダプタは交換機の設定により、スマートフォンへのアダプタ接続時に、スマートフォンへのＰＳ−ＩＤの自動配布、内線番号の付与等を自動で行うことを可能とする。またＢＹＯＤのセキュリティ面を鑑み、アダプタ接続時には構内交換機に接続される一内線端末として扱うため、本アダプタのアプリ以外の起動、操作に制限をかける、キャリア電波をＯＦＦにする等、スマートフォンのプライベート利用に制限をかけることを可能とする。
【００９８】
スマートフォンが交換機にログインされた状態においては、通常のＰＨＳと同様の音声発着信等の動作が可能であり、更にスマートフォンに各事業所用に作成されたアプリがあれば、交換機とそれらとの連携を可能とする。
【００９９】
アダプタにはバッテリーが搭載され、アダプタ用の充電器を介して一般的な電源（ＡＣ１００Ｖ）で充電可能であり、ＵＳＢの給電機能により、スマートフォンへの充電を可能とする。
【０１００】
スマートフォンを構内交換機の内線端末として使用する（ＢＹＯＤ）際に、アダプタを使用することにより、構内交換機は既設のレガシー網であるＰＨＳ網を活用でき、音声品質はレガシー網と同等の品質を実現できる。また、構内交換機とのＩＦはＢＳとなるため、既存のＰＨＳと同等の交換機のサービス機能を利用することができる。また、スマートフォンに専用アプリを搭載することにより、ＰＨＳより利便性の高いユーザインタフェースのサービスを提供することができる。また、スマートフォンとアダプタ間のＩＦはＵＳＢによる有線接続とし、アダプタ側にバッテリーを搭載することにより、スマートフォンの電池切れを回避することができる。
【符号の説明】
【０１０１】
１０１：構内交換機、１０２：内線電話機収容カード、１０３：無線基地局収容カード、１０４：局線カード、１０５：専用線カード、１０６：主装置制御部、１０７：内線電話機、１０８：ＢＳ、１０９：ＰＨＳ子機、１１０：内線端末、１１１：公衆網、１１２：専用線網。
【図１】
2015149527.tif 000003
【図２】
2015149527.tif 000004
【図３】
2015149527.tif 000005
【図４】
2015149527.tif 000006
【図５】
2015149527.tif 000007
【図６】
2015149527.tif 000008
【図７】
2015149527.tif 000009
【図８】
2015149527.tif 000010
【図９】
2015149527.tif 000011
【図１０】
2015149527.tif 000012
【図１１】
2015149527.tif 000013
【図１２】
2015149527.tif 000014
【図１３】
2015149527.tif 000015
【図１４】
2015149527.tif 000016
【図１５】
2015149527.tif 000017
【図１６】
2015149527.tif 000018
【図１７】
2015149527.tif 000019
【図１８】
2015149527.tif 000020
【図１９】
2015149527.tif 000021
【図２０】
2015149527.tif 000022
【図２１】
2015149527.tif 000023
【図２２】
2015149527.tif 000024
【図２３】
2015149527.tif 000025
【図２４】
2015149527.tif 000026
【図２５】
2015149527.tif 000027